(57)【要約】【課題】  食品を詰めるだけで食餌療法が出来る弁当容器および弁当容器の選定方法を提供する。【解決手段】  弁当容器に形成される収容部のうち３つの収容部夫々の底面積の比率を実質的に１対２対３とした構成とする。【選択図】        図１
2006000667.tif 000002
【特許請求の範囲】
【請求項１】
３つ以上の収容部が形成される弁当容器において、
前記収容部のうち３つの収容部は夫々の底面積の比率を実質的に１対２対３としてあることを特徴とする弁当容器。
【請求項２】
前記収容部のそれぞれに相当する底面に主食、主菜及び副菜の表示をしてあることを特徴とする請求項１に記載の弁当容器。
【請求項３】
内部を底上げする底上体を更に備えることを特徴とする請求項１に記載の弁当容器。
【請求項４】
２つの弁当容器からなる弁当容器セットにおいて、
２つの弁当容器の底面積が実質的に等しく、一方の弁当容器に底面積の比率を実質的に１対２とした２つの収容部が形成されるようにしてあることを特徴とする弁当容器セット。
【請求項５】
身体についての情報に対応付けてカロリー量が登録されている第１のテーブルおよび該カロリー量に対応付けて弁当容器の大きさに係る弁当容器情報が登録されている第２のテーブルを用いて弁当容器を選定する弁当容器選定方法であって、
弁当容器の使用者の身体についての情報を受け付けるステップと、
受け付けた身体についての情報に対応するカロリー量を前記第１のテーブルから抽出するステップと、
前記第１のテーブルから抽出されたカロリー量に対応する弁当容器情報を前記第２のテーブルから抽出するステップと、
前記第２のテーブルから抽出された弁当容器情報を出力するステップと
を備えることを特徴とする弁当容器選定方法。
【請求項６】
前記身体についての情報は身長である請求項５の弁当容器選定方法。
【請求項７】
前記第１のテーブルは運動量に応じたカロリー量が登録されている請求項５又は６に記載の弁当容器選定方法。
【請求項８】
前記第１のテーブルは肥満体に関連するカロリー量が登録されている請求項５乃至７のいずれかに記載の弁当容器選定方法。
【発明の詳細な説明】
【技術分野】
【０００１】
本発明は、食餌療法に好適な弁当容器、弁当容器セットおよび弁当容器の選定方法に関する。
【背景技術】
【０００２】
従来、食餌療法を行う人は、食材の重量を計量して摂取カロリー量を計算するか、カロリー量を記載した食材を用いるなどして、摂取カロリーの管理を行っていた。
【発明の開示】
【発明が解決しようとする課題】
【０００３】
しかしながら、食材の計量およびカロリー計算は面倒である。またカロリー量を記載した食材も全量を使用する場合はともかく、一部を使用する場合には計量又は概算により摂取カロリーを求める必要があり煩わしさがつきまとう。
【０００４】
本発明はこのような事情に鑑みてなされたものであって、食品を分離して詰める収容部を３つ以上設けることによって、ただ食品を詰めるだけで食餌療法が出来る弁当容器を提供することを目的とする。
また、主食、主菜及び副菜の表示をすることによって、詰め間違いを防止できる弁当容器及び弁当容器セットを提供することを目的とする。
【０００５】
さらに、底上体を用いることで必要に応じて一層の減量を行うのに適した弁当容器を提供することを目的とする。
さらにまた、食餌療法を行う人の身体についての情報から、当人に適した弁当容器を選定できる方法を提供することを目的とする。
また、選定の要素として運動量または肥満を付加することによりより一層適切な弁当容器を選定できる方法を提供することを目的とする。
【課題を解決するための手段】
【０００６】
第１発明の弁当容器は、３つ以上の収容部が形成される弁当容器において、前記収容部のうち３つの収容部は夫々の底面積の比率を実質的に１対２対３としてあることを特徴とする。
第２発明の弁当容器は、前記収容部のそれぞれに相当する底面に主食、主菜及び副菜の表示をしてあることを特徴とする。
第３発明の弁当容器は、内部を底上げする底上体を更に備えることを特徴とする。
第４発明の弁当容器セットは、２つの弁当容器からなる弁当容器セットにおいて、２つの弁当容器の底面積が実質的に等しく、一方の弁当容器に底面積の比率を実質的に１対２とした２つの収容部が形成されるようにしてあることを特徴とする。
【０００７】
第５発明の弁当容器選定方法は、身体についての情報に対応付けてカロリー量が登録されている第１のテーブルおよび該カロリー量に対応付けて弁当容器の大きさに係る弁当容器情報が登録されている第２のテーブルを用いて弁当容器を選定する弁当容器選定方法であって、弁当容器の使用者の身体についての情報を受け付けるステップと、受け付けた身体についての情報に対応するカロリー量を前記第１のテーブルから抽出するステップと、前記第１のテーブルから抽出されたカロリー量に対応する弁当容器情報を前記第２のテーブルから抽出するステップと、前記第２のテーブルから抽出された弁当容器情報を出力するステップとを備えることを特徴とする。
【０００８】
第６発明の弁当容器選定方法は、前記身体についての情報は身長であることを特徴とする。
第７発明の弁当容器選定方法は、前記第１のテーブルは運動量に応じたカロリー量が登録されていることを特徴とする。
第８発明の弁当容器選定方法は、前記第１のテーブルは肥満体に関連するカロリー量が登録されていることを特徴とする。
【発明の効果】
【０００９】
第１発明による場合は、全体の容積を適宜に選択しておくことにより、主食を３、主菜を１、副菜を２と詰めるだけで食餌療法に適した弁当が出来上る。
第２発明による場合は、表示に従って主食、主菜及び副菜を誤り無く詰めることが出来る。
ここにおいて、主食は、炭水化物を主な栄養素とする食材（米や小麦など）を指し、主菜は、たんぱく質や脂質を主な栄養素とする食材（魚介、肉、卵、乳製品等）を指し、副菜は、ビタミン・ミネラル・食物繊維を主な栄養素とする食材（野菜、海草、きのこ等）を指す。
【００１０】
第３発明による場合は、状況により一層の減食を必要とする場合、主食、主菜又は副菜の何れかまたは総ての収容部に底上体を入れることで対応できる。
第４発明による場合は、１つの弁当容器を主食用とし、他の弁当容器を主菜用及び副菜用として使用することで、第１発明の弁当容器と同様に食餌療法に適した弁当ができる。
【００１１】
第５発明による場合は、２つのテーブルを用いて、食餌療法をする人の身体情報から、適切な大きさの弁当容器を選定することができる。
第６発明による場合は、身長から定まる理想体重によって算出される好ましい摂取カロリー量に適合する弁当容器が選定される。
第７発明による場合は、食餌療法をする人の運動量に応じた適切な弁当容器を選定することが出来る。
第８発明による場合は、肥満体の人に対して適切な弁当容器を選定することが出来る。
【００１２】
本願発明者は２０００食の弁当につき調査をしたところ、主食：主菜：副菜＝３：１：２の容積比にした場合に、平均的に弁当容器内取食量１ｃｃ当たり、１ｋｃａｌであるとの知見を得た。弁当容器の容量は食餌療法をする人にとって摂取すべき１日のカロリーの１／３のカロリーに相当する容量として定めた。また主食：主菜：副菜＝３：１：２とする理由は、食餌療法で推奨される栄養素バランスに近くなるためである。
【発明を実施するための最良の形態】
【００１３】
以下、本発明をその実施の形態を示す図面に基いて具体的に説明する。
図１は、本発明に係る弁当容器の要部である容器本体の斜視図であり、図２は、同じく平面図であり、図３は、本発明に係る弁当容器の内部を底上げする底上体を示す斜視図である。
【００１４】
図中１は、上面が開口した箱状の金属又はプラスチック製の容器本体であり、平面視略長方形の底板２および該底面２の４周の側板３ａ，３ｂ，３ｃ，３ｄを備えている。
【００１５】
底板２の上面には、容器本対を長手方向に二分する位置に溝５ａが形成されている。同じく底板２の上面には、溝５ａを３等分する位置の一方から、長辺の側板３ａまたは３ｃに平行な溝５ｂが短辺の側板３ｄまで形成されている。溝５ａ、溝５ｂの終端部は側板３ａ及び３ｃ、並びに側板３ｄの対応位置に形成された縦溝に連なっている。
【００１６】
溝５ａ、５ｂより僅かに長い仕切板４ａ，４ｂは、その下端面に溝５ａ，５ｂそれぞれと嵌合する突起（図示せず）が設けられており、突起を溝５ａ，５ｂに嵌合し、また側板３ａ、３ｃ、３ｄに形成した縦溝及び仕切板４ａの仕切り板４ｂと交差する位置に設けた縦溝などに仕切り板４ａ及び仕切り板４ｂの端部が嵌合して、これら仕切り板４ａ及び仕切り板４ｂが底板２などに縦姿勢で係止される。なお、仕切板４ａ，４ｂは、容器本体１と同素材から成り、側板３ａ，３ｂ、３ｃ，３ｄと同じ高さを有している。
【００１７】
このように底面２の溝５ａ，５ｂに嵌合し係止された仕切板４ａ，４ｂは、弁当容器本体１の内部に底面積比率および内容積比率が１対２対３になる収容部７ａ，７ｂ，７ｃを形成する。
以上の様な容器本体１などに蓋（図示せず）が用いられることは言うまでもない。
【００１８】
また、仕切板４ａ、４ｂにより形成された収容部７ａ，７ｂ，７ｃそれぞれの底板２上面には、夫々「主菜」，「副菜」および「主食」の文字が表示されている。「主菜」，「副菜」および「主食」の文字に従って収容部７ａ，７ｂ，７ｃに食品を詰め込めば、誤りなく主食，主菜および副菜の分量を３対１対２の割合にすることができる。なお、文字の表示は成形またはレーザ印字などのいずれであってもよい。また文字に限らず、これらに代わる図形でも良い。
【００１９】
８ａ、８ｂ、８ｃは底上体であり、収容部７ａ，７ｂ，７ｃのそれぞれと等しい平面視形状を有する扁平な略直方体であり、内部は空洞にしてある。材質は要基本対１と同羽材質である。このような底上体を１又は複数枚、収容部７ａ，７ｂ，７ｃ内に収容することで、容積を適宜に減少できる。
【００２０】
図４は本発明に係る弁当容器セットの斜視図である。これは主食用の弁当容器Ａと主／副菜用の弁当容器Ｂとからなるものであって、弁当容器Ｂは仕切板４ｃで仕切って主菜用の収容部７ａ及び副菜用の収容部７ｂを設けるようにしてある。弁当容器Ａ及びＢは等容積となるように底面積を等しくしてあり、収容部７ａとの７ｂとの比率は１：２としてある。
このように弁当容器セットによっても主食、主菜、及び副菜の比率を３：１：２とできる。
【００２１】
次に本発明の弁当容器選定方法につき説明する。この方法はコンピュータによって実施する。
図５は、本発明に係る弁当容器の選定方法に使用するコンピュータ１０の構成を示すブロック図であり、図６は、本発明に係る第１のテーブル１３０ａの内容を示す概念図であり、図７は、本発明に係る第２のテーブル１３０ｂの内容を示す概念図である。
【００２２】
コンピュータ１０が備える入力部１１は、入力装置２０を利用して入力した使用者の身長、および使用者の運動量または肥満についての情報を受け付ける。入力部１１により受け受けた使用者の身長、および使用者の運動量または肥満についての情報は、ＲＡＭ１２に記憶される。
【００２３】
補助記憶装置１３は、身長，運動量および肥満についての情報に対応付けてカロリー量が登録されている第１のテーブル１３０ａ（図６）および該カロリー量に対応付けて弁当容器のサイズ情報が登録されている第２のテーブル１３０ｂ（図７）を格納している。
【００２４】
第１のテーブル１３０ａには、５ｃｍ刻みで身長（ｃｍ）に対応する１食の摂取カロリー量が記録されている。この摂取カロリー量は食餌療法をする場合の目安となる値であり、
身長（ｍ）×身長（ｍ）×２２
で求められる理想体重（ｋｇ）に対し、１ｋｇ当たりの摂取カロリー量を乗じた値としている。理想体重１ｋｇ当たりの摂取カロリー量は運動量によって異なるが、この実施の形態では運動量を労働パターンによって３分類している。即ちデスクワークが主の軽労働、立ち仕事が主の中労働および力仕事が主の重労働である。軽、中及び重労働それぞれの理想体重１ｋｇ当たりの摂取カロリー数を２５，３０および３５ｋｃａｌとしている。
【００２５】
例えば身長１７０ｃｍの軽労働従事者は
１．７＊１．７＊２２＊２０＝１５９０ｋｃａｌ
となっている。
さらに肥満者用には、より少ない摂取ロリー量とするように理想体重１ｋｇ当たりの摂取カロリー数を２０ｋｃａｌとしている。
【００２６】
第２のテーブル１３０ｂには、摂取カロリー量（１２００，１４４０・・・２４００の７通り）と推奨弁当容器の種類（サイズによる）Ａ、Ｂ・・・Ｇとの対応関係を記録している。図６には、種類Ａ、Ｂ・・・Ｇの総容積並びに仕切り板によって形成される主食、主菜、及び副菜の各収容部の容積（３：１：２）を参考として示している。
【００２７】
ＣＰＵ１４は、ＣＤドライブ１６に装填されたＣＤ−ＲＯＭ１６０から弁当容器の選定プログラムをＲＡＭ１２に格納させ、これを実行し、食餌療法を行う人それぞれに適した弁当容器を選定して、出力部１５を介してモニタ装置３０に表示させる。
【００２８】
図８は、本発明に係る弁当容器の選定方法におけるＣＰＵ１４の処理を示すフローチャートである。
ＣＰＵ１４は、この選定方法の利用者に入力を促す画面情報を出力部１５を介してモニタ装置３０に表示させる（Ｓ１）。この画面は身長と、労働の軽、中、若しくは重の別または肥満者の別との入力を行わせるものである。医師による判断、健康診断による判断、または体脂肪率若しくは身長／体重比による自己判断などによって肥満、と判断された場合に利用者は「肥満者」を入力する。
【００２９】
入力が行われてＣＰＵ１４に身長などが受け付けられる（Ｓ２）と、ＣＰＵ１４はテーブル１３０ａにアクセスして、摂取カロリー量を得る（Ｓ３）。テーブル１３０ａの身長に一致しない値に対しては内挿補間の方法によって算出する。
次にＣＰＵ１４はテーブル１３０ｂにアクセスして、Ｓ３で求めた摂取カロリーに適合する弁当容器Ａ，Ｂ・・・またはＧを選定し（Ｓ４）選定結果を適宜のメッセージまたは弁当容器の容積と共にモニタ装置３０に表示させる（Ｓ５）。弁当容器の選定は算出カロリー量に最も近い物を１種類選定するか、又は算出カロリー量の前後にあるテーブル１３０ｂ内の摂取カロリー量に適合する弁当容器２種類を選定する。
【００３０】
なお、テーブル１３０ａの構成、または利用者が入力する身体の情報は、身長に限らず、理想体重など、他の情報であっても良い。また労働パターンに替えて、実測した１日の歩数に対応させても良い。
また本発明方法は図４の弁当容器セットの選定にも適用できる。
【図面の簡単な説明】
【００３１】
【図１】本発明の弁当容器の斜視図である。
【図２】本発明の弁当容器の平面図である。
【図３】底上体の斜視図である。
【図４】本発明の弁当容器セットの斜視図である。
【図５】本発明方法を実行するコンピュータのブロック図である。
【図６】第１のテーブルの概念図である。
【図７】第２のテーブルの概念図である。
【図８】本発明に係る選定方法のフローチャートである。
【符号の説明】
【００３２】
Ａ，Ｂ  弁当容器
１  容器本体
２  底板
７ａ，７ｂ，７ｃ  収容部
１３０ａ、１３０ｂ  テーブル
１４  ＣＰＵ
【図１】
2006000667.tif 000003
【図２】
2006000667.tif 000004
【図３】
2006000667.tif 000005
【図４】
2006000667.tif 000006
【図５】
2006000667.tif 000007
【図６】
2006000667.tif 000008
【図７】
2006000667.tif 000009
【図８】
2006000667.tif 000010